(57)【要約】【課題】一時停止後のスタートスイッチ押し忘れによる再運転開始忘れを防止することを課題とする。【解決手段】操作表示部４１の入力部４４のスタート／一時停止ボタン４４ｅにて運転を一時停止された時に、入力部４４の予約／一時停止報知時間変更ボタン４４ｈにて設定した時間間隔で、報知手段８１により報知する構成とすることにより、使用者に運転一時停止中であることを報知し、運転の一時停止中からの再運転の開始忘れを防止して操作性を向上することができる。【選択図】図４
2017153835.tif 000002
【特許請求の範囲】
【請求項１】
筺体と、前記筺体に設けられた操作表示部と、前記操作表示部に設けられた運転コースなどを設定する入力部と、前記操作表示部に設けられた運転コースの設定内容などを表示する表示部と、運転終了時や異常発生時などに報知する報知手段と、洗濯の各行程を制御する制御部を有する制御装置と、を備え、前記制御装置は、前記入力部の所定のボタンの操作により運転を一時停止された際に、前記入力部の所定のボタンにて設定した時間間隔で、前記報知手段により報知する洗濯機。
【請求項２】
制御部は、電源投入後で運転がスタートする前の初期状態において、入力部の所定のボタンの操作により、一時停止した時に報知する報知時間間隔の設定および変更を受け付ける請求項１に記載の洗濯機。
【請求項３】
制御部は、運転の一時停止中において、入力部の所定のボタンにて、一時停止した時に報知する報知時間間隔の設定および変更を受け付ける請求項１に記載の洗濯機。
【発明の詳細な説明】
【技術分野】
【０００１】
本発明は、洗い、すすぎ、脱水など一連の行程を行なう洗濯機に関するものである。
【背景技術】
【０００２】
従来、この種の洗濯機は、操作表示部において洗い時間、すすぎ回数、脱水時間を設定するボタンや、あるいは、運転コースを設定するボタンなどの各種の設定ボタンと、その設定内容や運転開始からの残り時間などを表示する表示部の構成が提案されている（例えば、特許文献１参照）。
【０００３】
図６は、特許文献１に記載された従来の洗濯機の操作表示部である。
【０００４】
図６において、使用者が電源を入れ、例えば、洗いボタン２３０ｂを押せば、洗いＬＥＤ２３４ｂが点灯して洗い時間の設定ができ、すすぎボタン２３０ｃを押せば、すすぎＬＥＤ２３４ｃが点灯してすすぎ回数が設定でき、脱水ボタン２３０ｄを押せば、脱水ＬＥＤ２３４ｄが点灯して脱水時間が設定できる。あるいは、自動運転である特別運転コースの洗乾全自動ボタン２３０ｇを押すことによって、遠心力コースＬＥＤ２３４ｉ、あるいは、かくはんコースＬＥＤ２３４ｈが点灯して、運転コースを設定することができる。各種の設定後に、スタート／一時停止ボタン２３０ｅを押せば、運転がスタートする。
【０００５】
運転がスタートすると、まず、槽内に投入された洗濯物の布量を検知するために回転ドラム（図示せず）が左右に小刻み回転する。布量が検知されると、水位ＬＥＤ２３４ａのいずれかが点灯して布量に合った水位が表示されるので、使用者はその水位に合った洗剤量を洗剤ケース（図示せず）へ投入することができる。その後、給水が始まり、デジタル表示部２３４ｅに運転終了までの残時間が表示されて、行程運転が進行していく。
【先行技術文献】
【特許文献】
【０００６】
【特許文献１】特開２００２−１１９７８８号公報
【発明の概要】
【発明が解決しようとする課題】
【０００７】
しかしながら、前記従来の構成では、スタート／一時停止ボタンを押して運転がスタートしてから、使用者が、例えば、洗濯途中に衣類を追加しようとしたりするなど、何らかの理由でスタート／一時停止ボタンを押して運転を一時停止させた後、再度スタート／一時停止ボタンを押し忘れた場合、使用者が気づくまでいくら時間が経過しても運転が再開されず、一時停止したままになるという課題があった。
【０００８】
本発明は、上記従来の課題を解決するもので、運転中に使用者がで洗濯機運転を一時停止させた後、再度スタート／一時停止ボタンが押されて運転が再開するまで、設定された時間間隔で報知することにより、一時停止中からの再運転開始忘れを防止して操作性を向上することができる洗濯機を提供することを目的している。
【課題を解決するための手段】
【０００９】
前記従来の課題を解決するために、本発明の洗濯機は、筺体と、前記筺体に設けられた操作表示部と、前記操作表示部に設けられた運転コースなどを設定する入力部と、前記操作表示部に設けられた運転コースの設定内容などを表示する表示部と、運転終了時や異常発生時などに報知する報知手段と、洗濯の各行程を制御する制御部を有する制御装置と、
を備え、前記制御装置は、前記入力部の所定のボタンの操作により運転を一時停止された際に、前記入力部の所定のボタンにて設定した時間間隔で、前記報知手段により報知する構成としたものである。
【００１０】
これによって、一時停止中からの再運転開始忘れを防止して操作性を向上することができる。
【発明の効果】
【００１１】
本発明の洗濯機は、従来の構成でできなかった運転の一時停止中であることを報知することにより、一時停止中からの運転再開忘れを防止することができる。
【図面の簡単な説明】
【００１２】
【図１】本発明の実施の形態における洗濯機の外観斜視図
【図２】同洗濯機の縦断面図
【図３】同洗濯機のブロック回路図
【図４】同洗濯機の操作表示部の正面図
【図５】同洗濯機の動作フローチャート
【図６】従来の洗濯乾燥機の操作表示部の正面図
【発明を実施するための形態】
【００１３】
第１の発明は、筺体と、前記筺体に設けられた操作表示部と、前記操作表示部に設けられた運転コースなどを設定する入力部と、前記操作表示部に設けられた運転コースの設定内容などを表示する表示部と、運転終了時や異常発生時などに報知する報知手段と、洗濯の各行程を制御する制御部を有する制御装置と、を備え、前記制御装置は、前記入力部の所定のボタンの操作により運転を一時停止された際に、前記入力部の所定のボタンにて設定した時間間隔で、前記報知手段により報知する構成とすることにより、一時停止中からの再運転開始忘れを防止して操作性を向上することができる。
【００１４】
第２の発明は、特に、第１の発明の制御部は、電源投入後で運転がスタートする前の初期状態において、入力部の所定のボタンの操作により、一時停止した時に報知する報知時間間隔の設定および変更を受け付ける構成とすることにより、一時停止中からの再運転開始忘れを防止して操作性を向上することができる。
【００１５】
第３の発明は、特に、第１の発明の制御部は、運転の一時停止中において、入力部の所定のボタンにて、一時停止した時に報知する報知時間間隔の設定および変更を受け付ける構成とすることにより、一時停止中からの再運転開始忘れを防止して操作性を向上することができる。
【００１６】
以下、本発明の実施の形態について、図面を参照しながら説明する。なお、この実施の形態によって本発明が限定されるものではない。
【００１７】
（実施の形態１）
図１は、本発明の実施の形態におけるドラム式洗濯機の外観斜視図、図２は、同ドラム式洗濯機の縦断面図、図３は、同ドラム式洗濯機のブロック回路図である。
【００１８】
図１、図２において、筺体１００内に水槽２が揺動自在に配設されており、水槽２内に衣類を収容する有底円筒状のドラム１が回転自在に配設されている。水槽２の背面には、ドラム１の回転軸を回転させるモータ３が取り付けられており、モータ３の駆動によりドラム１が回転し、ドラム１内に投入された衣類の撹拌たたき洗い、および乾燥動作などを行なう。
【００１９】
筺体１００前部には、ドラム１の開口端側に対向させて扉体３５が設けられており、使用者は、扉体３５を開くことで、ドラム１内に洗濯物（衣類）を出し入れすることができる。また、水槽２には、給水弁１３４（図３参照）が設けられた給水管（図示せず）、および排水弁２７が設けられた排水管４０が接続されている。
【００２０】
水槽２の下方には、水槽２を支えるとともに、脱水時等のドラム１内の衣類の偏りなどで発生する水槽２の振動を減衰させるダンパ１４が設けられている。ダンパ１４には、支持する水槽２内の衣類などによる重量変化で、ダンパ１４の軸が上下に変位する変位量を検知して衣類の量を検知する布量検知部１５が取り付けられている。
【００２１】
衣類を乾燥させるために、水槽２およびドラム１内の空気を送風部４によって循環させる構成となっており、ドラム１内の洗濯物から水分を奪って多湿状態となった空気は、水槽２の側面上部に設けられた排出口５を通って、ドラム１の外のヒートポンプ装置５０部へと排出される。
【００２２】
ヒートポンプ装置５０は、冷媒を圧縮する圧縮機１６と、圧縮されて高温高圧となった冷媒の熱を放熱する加熱部（放熱器）１７と、高圧の冷媒の圧力を減圧するための絞り部１８と、減圧されて低圧となった冷媒によって周囲から熱を奪う除湿部（吸熱器）１９と、これら４つの部材を連結して冷媒を循環させる管路２０とを具備しており、排出された乾燥用空気は除湿部（吸熱器）１９で除湿される。除湿部（吸熱器）１９で除湿した乾燥用空気は、加熱部（放熱器）１７で加熱される。加熱された乾燥用空気は、循環風路１３の途中に配設された送風部４から、送風部４の下流に位置する第１風路９または第２風路１１のいずれかに導かれ、再びドラム１内に吹き出す。
【００２３】
ここで、第１風路９は、ドラム１の後方に開口した第１吹出口８を有する。一方、第２風路１１は、ドラム１の前方上部に開口した第２吹出口１０を有する。
【００２４】
第１風路９の第１吹出口８は、第２吹出口１０よりも空気通過断面積が大きくなるように形成されており、第２風路１１に較べて圧力損失が少なく大風量の乾燥用空気をドラム１内に吹き出すことができるようになっている。
【００２５】
また、第２風路１１の第２吹出口１０は、第１吹出口８よりも空気通過断面積が小さくなっており、第１吹出口８に較べて高圧高速の乾燥用空気をドラム１内に吹き出すことができるようになっている。
【００２６】
通常、ドラム式洗濯機の場合、回転するドラム１の前方と水槽２との間の隙間は、衣類が噛み込まないように、可能な限り小さく形成されている。よって、この僅かな隙間に、広い開口で圧力損失の少ない吹出口を設けることはスペース的に困難であるが、空気通過断面積が比較的小さくて高圧高速の風を吹き出す第２吹出口１０を設けることができる。
【００２７】
一方、ドラム１の後方奥の底面には、比較的大きな開口を有する第１吹出口８を設けるスペース的な余裕がある。そして、通風可能な多数の小径孔からなる開口率の大きなカバー２６で第１吹出口８を覆えば、第１吹出口８に衣類が噛み込むことはない。よって、ドラム１後方の底面に、比較的圧力損失の少ない第１吹出口８を設けることができる。
【００２８】
風路切換部１２は、送風部４の下流側に設けられている。風路切換部１２は、乾燥用空気の通過路を、第１風路９または第２風路１１の何れかに切り換えるものである。
【００２９】
風路切換部１２は、第１風路９と第２風路１１との分岐部に回動可能に枢支された弁１
２ａと、弁１２ａを回動駆動する駆動部（図示せず）とを具備する。
【００３０】
そして、弁１２ａが回転して第２風路１１を閉じると、第１風路９側が開となり、送風部４にて送風された乾燥用空気が第１風路９を通過するようになる。一方、弁１２ａが回転して第１風路９を閉じると、第２風路１１側が開となり、送風部４にて送風された乾燥用空気が第２風路１１を通過するようになる。
【００３１】
送風部４は、ヒートポンプ装置５０の加熱部（放熱器）１７と風路切換部１２との間に設けられ、加熱部（放熱器）１７で加熱された乾燥用空気を循環風路１３の下流側へと送り出す。送風部４は、送風用ファン４ａと送風用ファンモータ４ｂとを具備している。
【００３２】
送風部４は、風路切換部１２により第１風路９に切り換えられた場合、第１風路９を通過する風量が、第２風路１１の風量よりも多い所定風量になるように、送風用ファン４ａを回転させる。
【００３３】
また、送風部４は、風路切換部１２により第２風路１１に切り換えられた場合、第２風路１１の第２吹出口１０を通過する風速が、第１吹出口８を通過する風速よりも速い所定風速になるように、送風用ファン４ａを回転させる。例えば、第１吹出口８を通過する風速を１０ｍ／ｓ程度とし、第２吹出口１０を通過する風速を５０ｍ／ｓ以上とする。
【００３４】
なお、第１吹出口８および第２吹出口１０を通過する風速は、これに限定されるものではなく、第２吹出口１０における風速が第１吹出口８における風速よりも速い条件を満たせば任意の風速に設定可能である。
【００３５】
排出口５は、相対的に、第１吹出口８からの距離が、第２吹出口１０からの距離よりも遠い位置に配設されている。つまり、排出口５は、相対的に、第２吹出口１０に近く第１吹出口８からは遠い位置にある。
【００３６】
また、ドラム１に流入する乾燥用空気の温度を検知するサーミスタ等の流入温度検知部７１ａ、および流入温度検知部７１ｂを備えており、流入温度検知部７１ａは、第１風路９の第１吹出口８またはその近傍に設けられており、流入温度検知部７１ｂは、第２風路１１の第２吹出口１０またはその近傍に設けられている。
【００３７】
また、排出口５に、あるいはその近傍に、衣類に接触した後にドラム１から排出される乾燥用空気の温度を検知するサーミスタ等の排出温度検知部７２が設けられており、排出温度検知部７２で検知された排出温度、および流入温度検知部７１ａ、流入温度検知部７１ｂで検知された流入温度との結果により、上述のように風路切換部１２にて第１風路９と第２風路１１が切り換えられる。
【００３８】
筺体１００の内面下部には、制御装置８０が設けられており、内蔵された制御部１２１（図３参照）は、モータ３、給水弁１３４、排水弁２７などを制御して、洗い、すすぎ、脱水、乾燥などの各行程を制御する。
【００３９】
筺体１００の前面上部には、操作表示部４１が配置され、その左側には洗剤を収容するための洗剤ケース４２が前方に引き出し可能となるように配置されている。使用者は運転に先立ち、洗剤を洗剤ケース４２に入れ、必要に応じて操作表示部４１を操作することにより、希望する運転内容を設定したり、運転のスタート、一時停止を行ったり、運転の進行状態を認識することができる。操作表示部４１については、図４にて詳述する。
【００４０】
なお、上述のように、本実施の形態では、ヒートポンプによる衣類乾燥方式で説明した
が、ヒートポンプ方式に限定されるものではない。例えば、除湿部は乾燥用空気に直接水を噴霧する水冷式でもよく、また、加熱部はヒータであってもよい。
【００４１】
図３において、制御装置８０は、第１のモータ３、センサー３ａ〜３ｃ、第１のインバータ回路１０２、第１のインバータ駆動回路１０３、第２のモータ１１１、第２のインバータ回路１１２、第２のインバータ駆動回路１１３、電流検知部１１４、制御部１２１、温度検知部１２２、負荷駆動部１３２、および直流電源変換部１４０などを備えている。
【００４２】
第１のモータ３の電気角は、回転子の近傍に配されている３個のセンサー３ａ〜３ｃによって検出される。センサー３ａ〜３ｃは、例えばホールＩＣから構成され、互いに電気角１２０度の間隔で第１のモータ３のロータに配されている永久磁石に対向するように、第１のモータ３のステータに配されている。センサー３ａ〜３ｃの検出出力は、制御部１２１に入力されている。また、第１のモータ３は、第１のインバータ回路１０２によって回転速度などの回転動作が制御されている。
【００４３】
第１のインバータ回路１０２は、パワートランジスタ（ＩＧＢＴ）と逆導通ダイオードとの並列回路を備えたスイッチング素子で構成されている。各スイッチング素子は、図３に示すように、２個ずつ直列接続され、３組の直列回路が形成されている。各直列回路におけるスイッチング素子間のノードは、それぞれ第１のモータ３における三相巻線のＵ端子、Ｖ端子、Ｗ端子に接続されている。
【００４４】
これにより、各直列回路における２つのスイッチング素子のオン／オフの組み合わせにより、Ｕ端子、Ｖ端子、Ｗ端子をそれぞれ正電圧、零電圧、解放の３状態にすることができる。スイッチング素子のオン／オフの切替えは、ホールＩＣから構成されるセンサー３ａ〜３ｃからの検出情報に基づいて、制御部１２１及び第１のインバータ駆動回路１０３により制御される。
【００４５】
第２のモータ１１１は、圧縮機１６を回転駆動するが、第２のインバータ回路１１２によって回転速度などの回転動作が制御されている。
【００４６】
第２のインバータ回路１１２は、パワートランジスタ（ＩＧＢＴ）と逆導通ダイオードとの並列回路を備えたスイッチング素子で構成されている。各スイッチング素子は、図３に示すように２個ずつ直列接続され、３組の直列回路が形成されている。各直列回路におけるスイッチング素子間のノードは、第２のモータ１１１における三相巻線のＵ端子、Ｖ端子、Ｗ端子にそれぞれ接続されている。
【００４７】
これにより、各直列回路における２つのスイッチング素子のオン／オフの組み合わせにより、Ｕ端子、Ｖ端子、Ｗ端子をそれぞれ正電圧、零電圧、解放の３状態にすることができる。スイッチング素子のオン／オフの切替えは、制御部１２１及び第２のインバータ駆動回路１１３により制御される。
【００４８】
電流検知部１１４は、第２のインバータ回路１１２における３つの直列回路から出力される電流を検知する。検知結果は、制御部１２１に入力される。
【００４９】
制御部１２１は、電流検知部１１４で検知された電流値の情報と、温度検知部１２２で検知された圧縮機１６内の冷媒温度の情報と、センサー３ａ〜３ｃで検知されたパルスとが入力されている。制御部１２１は、センサー３ａ〜３ｃから入力されるパルスに基づいて、第１のモータ３の回転周期を検出し、検出した回転周期に基づいて回転速度を算出する。制御部１２１は、第１のモータ３の回転速度が算出した回転速度になるように、第１のインバータ駆動回路１０３を介して第１のインバータ回路１０２を制御する。また、制
御部１２１は、入力される電流値情報と温度情報とに基づいて、第２のインバータ駆動回路１１３を介して第２のインバータ回路１１２を制御する。
【００５０】
温度検知部１２２は、圧縮機１６内、あるいは管路２０内の冷媒の温度を検知する。なお、冷媒の温度は、圧縮機１６内部の圧力に比例しており、圧縮機１６内の圧力が高い場合は、冷媒温度は高くなり、圧縮機１６内の圧力が低い場合は、冷媒温度は低くなる。
【００５１】
負荷駆動部１３２は、制御部１２１からの制御により、送風用ファンモータ４ｂ、給水弁１３４、排水弁２７を動作制御する。送風用ファンモータ４ｂは、ヒートポンプ装置５０において発生した乾燥した温風を、水槽２内に流通させるものである。
【００５２】
直流電源変換部１４０は、商用電源１３１から入力される交流を直流に変換するものであり、ダイオードブリッジ１３６、チョークコイル１３７、および平滑用コンデンサ１３８、１３９を備えている。直流電源変換部１４０から出力される直流電源は、第１のインバータ回路１０２及び第２のインバータ回路１０３に入力されている。
【００５３】
洗濯運転（洗い行程、すすぎ行程、脱水行程）において、動作開始の命令が制御部１２１に入力されると、制御部１２１は、第１のインバータ駆動回路１０３を制御して、第１のインバータ回路１０２を動作させる。第１のインバータ駆動回路１０３は、第１のインバータ回路１０２におけるスイッチング素子を所定のタイミングでオン／オフ制御することにより、第１のモータ３におけるＵ端子、Ｖ端子、Ｗ端子に直流電源変換部４０から供給される直流電源を供給することができる。これにより、第１のモータ３は回転駆動される。
【００５４】
第１のモータ３の回転速度制御を行う際は、制御部１２１が、センサー３ａ〜３ｃから出力されるパルスに基づいて、第１のモータ３の回転周期を検出し、検出した回転周期に基づいて回転速度を算出する。制御部１２１は、算出された回転速度に基づいて目標回転速度を演算し、第１のインバータ駆動回路１０３を制御する。第１のインバータ駆動回路１０３は、制御部１２１からの命令に基づき、第１のモータ３がその目標回転速度になるように第１のインバータ回路１０２におけるスイッチング素子のオン／オフを制御する。これにより、第１のモータ３を所定速度で回転制御することができる。
【００５５】
乾燥機能を運転する場合は、動作開始の命令が制御部１２１に入力されると、制御部１２１は、第２のインバータ駆動回路１１３を制御して、第２のインバータ回路１１２を動作させる。第２のインバータ駆動回路１１３は、第２のインバータ回路１１２におけるスイッチング素子を所定のタイミングでオン／オフ制御することにより、第２のモータ１１１におけるＵ端子、Ｖ端子、Ｗ端子に直流電源変換部１４０から供給される直流電源を供給することができる。これにより、第２のモータ１１１は回転駆動される。
【００５６】
そして、第２のモータ１１１の回転速度制御を行う際は、制御部１２１が、電流検知部１１４から出力される第２のインバータ回路１１２における電流値情報と、温度検知部１２２で検知された圧縮機１６内の冷媒温度の情報とに基づいて、回転速度を算出する。制御部１２１は、算出した回転速度に基づいて、第２のインバータ駆動回路１１３を制御する。第２のインバータ駆動回路１１３は、制御部１２１からの命令に基づき、第２のモータ１１１が所定の回転速度になるように、第２のインバータ回路１１２におけるスイッチング素子のオン／オフを制御する。これにより、第２のモータ１１１を所定速度で回転制御することができる。
【００５７】
操作表示部４１には、入力部４４および表示部４５が設けられており、使用者は入力部４４にて運転コース等のモードや各種機能の選択を行なうことができ、その入力情報を基
に、表示部４５にて表示して使用者に知らせる。
【００５８】
また、制御部１２１には、書き換え部５２が設けられている。書き換え部５２は、操作表示部４１で操作された情報に基づいて、メモリ５１に書き込まれた運転が一時停止されていることを報知手段８１により報知する報知音の報知時間間隔を書き換える。制御部１２１は、書き換え部５２によって書き換えられたメモリ５１の報知時間間隔に基づいて、一時停止時の動作を実行する。また、運転終了時や異常発生時などにも報知手段８１にて報知する。なお、一時停止中の報知手段８１による報知については、図４、図５で詳述する。
【００５９】
図４は、本発明の実施の形態におけるドラム式洗濯機の操作表示部の正面図である。
【００６０】
図４において、操作表示部４１の入力部４４は、洗い時間を設定する洗い時間設定ボタン４４ａ、すすぎ回数を設定するすすぎ回数設定ボタン４４ｂ、脱水時間を設定する脱水時間設定ボタン４４ｃ、乾燥時間を設定する乾燥時間設定ボタン４４ｄ、スタート／一時停止ボタン４４ｅ、電源入りボタン４４ｆ、電源切りボタン４４ｇなどを有し、さらに、予約／一時停止報知時間変更ボタン４４ｈを有している。スタート／一時停止ボタン４４ｅは、スタートするまではスタートボタン、スタート後は一時停止ボタンとなる。
【００６１】
予約／一時停止報知時間変更ボタン４４ｈは、何時間後に運転を始めるかを設定できる予約機能と、一時停止報知時間設定および変更機能を備えている。
【００６２】
一時停止報知時間設定および変更機能は、電源入りボタン４４ｆを押してから運転開始するまでに、一時停止されていることを、例えばブザーなどの報知手段８１により報知するとともに、その報知音の報知時間間隔を書き換えることができる機能であり、ボタンを５秒以上押し続けると予約機能から一時停止報知時間設定および変更機能に切り換り、ボタンを押す毎に５分刻みで報知時間の間隔を変更することができる。
【００６３】
また、運転開始後であっても、スタート／一時停止ボタン４４ｅを押して一時停止した後に、上記の操作により報知の設定、あるいは報知時間の間隔を変更することができる。
【００６４】
表示部４５は、洗い時間表示部４５ａ、すすぎ回数表示部４５ｂ、脱水時間表示部４５ｃ、乾燥時間表示部４５ｄや、予約／一時停止報知時間変更ボタン４４ｈの操作により、一時停止報知時間が変更されたことに対応する一時停止報知時間変更表示部４５ｈ、および、行程の残り時間、予約設定時間、変更された一時停止報知時間などを表示するデジタル表示部４５ｉなどを有している。
【００６５】
また、入力部４４、表示部４５は、複数の基本運転コースと特別運転コースとのいずれかを選択する運転コース選択スイッチ４４ｉと、複数の基本運転コースと特別運転コースとのそれぞれに対応する複数の運転コース選択表示部４５ｅとを設けている。ここで、特別運転コースは、入力部４４に入力された洗い時間、すすぎ回数、脱水時間をそれぞれ変更することによって設定する。
【００６６】
複数の運転コース選択表示部４５ｅは、ＬＥＤによって構成されている。
【００６７】
基本運転コースには、例えば、「おまかせコース」と「お急ぎコース」と「おうちクリーニングコース」が含まれている。
【００６８】
「おまかせコース」は、最も標準的な運転コースであって、例えば、洗い時間が「９分」に、すすぎ回数が「注水２回」に、脱水時間が「７分」に設定されたコースである。
【００６９】
「お急ぎコース」は、急いで洗濯するための基本運転コースであって、例えば、洗い時間が「３分」に設定されており、すすぎ回数が「注水１回」に設定されており、脱水時間が「３分」に設定されている。
【００７０】
「おうちクリーニングコース」は、ドライクリーニングを推奨されている衣類を家庭内の洗濯機において洗うための基本運転コースであって、例えば洗い時間が「１２分」に設定されており、すすぎ回数が「ため２回」に設定されており、脱水時間が「４０秒」に設定されている。
【００７１】
「お気に入り運転コース」は、洗い時間、すすぎ回数、脱水時間を任意に設定することができる。
【００７２】
運転コース選択表示部４５ｅは、「おまかせコース」と「お急ぎコース」と「おうちクリーニングコース」と「お気に入り運転コース」ごとにそれぞれ設けられている。運転コース選択スイッチ４４ｉを押すたびに「おまかせコース」、「お急ぎコース」、「おうちクリーニングコース」、「お気に入り運転コース」と、この順番に運転コース選択表示部４５ｅが切り替わって点灯していく。
【００７３】
図５は、本発明の実施の形態におけるドラム式洗濯機の動作フローチャートである。
【００７４】
図５において、まず、使用者が操作表示部４１の電源入りボタン４４ｆを押して電源をオンし（ステップＳ１）、初期待機状態になる（ステップＳ２）。そして、例えば、運転コース選択ボタン４４ｉを操作して好みの運転コースを設定する（ステップＳ３）。設定された運転コースの内容は、制御部１２１に設けられたメモリ５１に書き込まれる。
【００７５】
次に、一時停止時に報知手段８１による報知音を設定するか否かを判断する（ステップＳ４）。一時停止報知を設定する時（ステップＳ４のＹＥＳ）は、予約/一時停止報知時間変更ボタン４４ｈを５秒押し続けると、一時停止報知時間設定および変更機能モードに入る（ステップＳ５）。
【００７６】
そして、予約／一時停止報知時間変更ボタン４４ｈを押すたびに、報知時間の間隔を５分ずつ延長することができ、最長３０分まで、延長することができる。３０分を過ぎると初期設定値５分に戻ることになる。最後に設定された内容は、制御部１２１に設けられたメモリ５１に書き込まれる。
【００７７】
次に、スタート／一時停止ボタン４４ｅを押して運転を開始する（ステップＳ６）と、一時停止時の報知を設定した場合は、デジタル表示部４５ｉに設定した報知時間間隔を表示する。設定しなかった場合は、表示しない（ステップＳ７）。その後、ドラム１が短時間の左右回転をすることにより投入された洗濯物の布量を布量検知部１５により検知し、デジタル表示部４５ｉにて布量にあった水位（水量）および洗剤量を表示する（ステップＳ８）。
【００７８】
その後、給水弁１３４が動作して給水が行なわれ（ステップＳ９）、所定の水位に達すると、洗い行程の攪拌動作が開始され（ステップＳ１０）、行程が進んでいく。
【００７９】
ここで、運転中に、使用者が衣類の調整などの理由で、運転を一時停止した場合（ステップＳ１１のＹＥＳ）には、予め設定した時間間隔（例えば、１０分毎）で報知手段８１による報知をし、設定していないならば、報知しない（ステップＳ１２）。
【００８０】
この時に、新たに一時停止時の報知を設定することも、設定している報知時間の間隔を変更することもできる。新たに設定、または変更する場合（ステップＳ１３のＹＥＳ）には、一時停止中に、予約／一時停止報知時間変更ボタン４４ｈを５秒以上押し続けると、一時停止報知時間間隔を設定および変更ができる（ステップＳ１４）。そして、設定した時間は、デジタル表示部４５ｉにて表示する。
【００８１】
次に、再度、スタート／一時停止ボタン４４ｅを押すと、運転を再開（ステップＳ１５）し、行程が進行して洗い行程が終了すると（ステップＳ１６）、次行程へと移行する。
【００８２】
以上のように、本実施の形態によれば、操作表示部４１の入力部４４のスタート／一時停止ボタン４４ｅにて運転を一時停止された時に、入力部４４の予約／一時停止報知時間変更ボタン４４ｈにて設定した時間間隔で、報知手段８１により報知する構成とすることにより、一時停止中からの再運転開始忘れを防止して操作性を向上することができる。
【００８３】
また、電源投入後で運転がスタートする前の初期状態において、入力部４４の予約／一時停止報知時間変更ボタン４４ｈにて、一時停止した時に報知する報知時間間隔の設定および変更を受け付ける構成とすることにより、一時停止中からの再運転開始忘れを防止して操作性を向上することができる。
【００８４】
また、運転の一時停止中において、入力部４４の予約／一時停止報知時間変更ボタン４４ｈにて、一時停止した時に報知する報知時間間隔の設定および変更を受け付ける構成とすることにより、一時停止中からの再運転開始忘れを防止して操作性を向上することができる。
【産業上の利用可能性】
【００８５】
以上のように、本発明にかかる洗濯機は、運転中に一時停止された時に、設定された報知時間間隔で報知することにより、一時停止中からの再運転開始忘れを防止して操作性を向上することを可能にできるので、縦型洗濯機を始めとする他の洗濯機の用途に適用できる。
【符号の説明】
【００８６】
１  ドラム
２  水槽
３  モータ
４１  操作表示部
４４  入力部
４５  表示部
５１  メモリ
８０  制御装置
８１  報知手段
１００  筺体
１２１  制御部
１３４  給水弁
【図１】
2017153835.tif 000003
【図２】
2017153835.tif 000004
【図３】
2017153835.tif 000005
【図４】
2017153835.tif 000006
【図５】
2017153835.tif 000007
【図６】
2017153835.tif 000008